(57)【要約】      （修正有）【課題】小学生が中学校入学直前の３月３１日に、東海道新幹線で東京から名古屋までの「こども」料金の特急乗車券を、ＩＣカードで購入できるようにすること。【解決手段】乗車券購入者の氏名の変わりに、生年月日、発行日および発行時刻を登録することにより、１秒毎に唯一のＩＣカードを発行する。また、タッチパネル式券売機の機番を登録することにより、全く同じ登録日・時刻が登録されたとしても、違う番号のＩＣカードとなる。【選択図】図２
2005056369.tif 000002
【特許請求の範囲】
【請求項１】
ＩＣカードに乗車券購入者の生年月日を登録する方法であって、登録日・時刻（元号、年、月、日、時、分、秒）を計時および書き込みできる手段、登録日・時刻を修正および書き込みできる手段、修正回数を表示できる手段、登録者の生年月日を書き込みできる手段および制御手段を備えた東京都内および愛知県内に設置したタッチパネル式券売機において、上記制御手段がタッチパネル式券売機の番号を書き込むステップ、修正回数を書き込むステップ、登録日・時刻を書き込むステップ、登録者の生年月日を書き込むステップを実行する登録方法。
【請求項２】
［請求項１］に記載したタッチパネル式券売機が通信手段によって登録者の生年月日をデータ保存機に登録する方法であって、上記制御手段がタッチパネル式券売機の番号を書き込むステップ、修正回数を書き込むステップ、登録日・時刻を書き込むステップ、登録者の生年月日を書き込むステップを実行する登録方法。
【請求項３】
［請求項１］に記載したタッチパネル式券売機の照合手段が乗車券購入者が登録者本人か否かを照合する方法であって、タッチパネル式券売機の制御手段が乗車券購入者の生年月日をデータ保存機に送信するステップ、乗車券購入者のＩＣカードの登録日・時刻、修正回数、生年月日を読み出すステップ、乗車券購入者の生年月日とを照合するステップを実行する照合方法。
【請求項４】
［請求項１］に記載したタッチパネル式券売機で乗車券を購入する方法であって、上記制御手段が乗車券発行年を西暦に読み換えする手段、乗車券購入者の生年月日を入力する手段、乗車券発行年から登録者の生年を減算できる演算手段、年齢区分と乗車券種が対応付けして記憶された乗車券種記憶手段、年齢区分に対応した乗車券種を検索して乗車券種ファイルを表示する手段、乗車券を印刷発券できる手段を備えたことを特徴とするタッチパネル式券販売機において、当該演算手段が乗車券発行年から登録者の生年を減算するステップにおいて生じた値が１３年以上の場合を「おとな」、１２年でかつ乗車券発行日が登録者の誕生日前日以後でかつ４月１日以後の場合を「おとな」、１２年でかつ乗車券発行日が登録者の誕生日の前日以後でかつ３月３１日以前の場合を「こども」、１２年でかつ乗車券発行日が登録者の誕生日の前々日以前の場合を「こども」、１１年以下の場合を「こども」、とする年齢区分を実行するステップ、年齢区分と乗車券種が対応付けして記憶された乗車券種記憶手段から上記記憶手段が年齢区分に対応した乗車券種を検索して乗車券種ファイルを表示するステップ、乗車券購入者が選択したものを発券するステップを実行する販売方法。
【発明の詳細な説明】
【発明の詳細な説明】
【技術分野】
【０００１】本発明は、生年月日のみを登録したＩＣカードで、乗車券をタッチパネル式券売機で購入に関する。
【背景技術】
【０００２】ＪＲ東日本で使用できるＩＣカードは、改札機にタッチするだけで改札口を通過できる。しかし、「おとな」料金のみで、「こども」料金は無い（「おとな」とは「年齢が１２歳以上（１２歳でも小学生は「こども」です。）と定義され、「こども」の乗車券、特急券は「おとな」の半額です。５円の端数は切り捨てます。」非特許文献１および２参照）【０００３】さらに、使用できるのはＪＲ東日本のみで、ＪＲ東海では使用できない。小学生が中学校入学直前の春休み最後の３月３１日に旅行する場合、卒業式が済んでるので、在学証明書が発行されない。（非特許文献１：ＪＲ東日本発行『Ｓｕｉｃａのススメ』２００３年６月改訂）（非特許文献２：ＪＴＢ発行『時刻表２００３年１月号』）
【発明が解決しようとする課題】
【０００４】小学生が中学校入学直前の３月３１日に、ＩＣカードで生年月日を照合するのみで乗車券を購入し、東海道新幹線で東京から名古屋まで、「こども」料金で乗車できるようにすること。
【課題を解決するための手段】
【０００５】上記目的を達成するために、本発明は乗車券購入者の氏名のみを登録することにした。従来から行われている、氏名、住所、電話番号などを登録すると、インターネット上で個人情報が漏れる恐れがあり、ＩＣカードが紛失した場合、困るのである。
【０００６】氏名の変わりに登録日・時刻を書き込むことにより、時刻は１秒毎に新しい番号となり、他に存在しない唯一のＩＣカードとなるわけだ。万が一時刻が進んだり遅れたりしても、時刻を修正した回数を書き込めることができるので、同じ番号のＩＣカードは、発行されない。  また、タッチパネル式券売機の機番を登録することにより、全く同じ登録日・時刻が登録されたとしても、違う番号のＩＣカードとなる。  タッチパネル式券売機でＩＣカードに登録日および登録時刻を、書き込めるようにした。登録者のデータを上記のタッチパネル式券売機に登録しないのは、時刻計時手段を持たないデータ保存機に、保存するようにしたからである（登録データを改ざんさせないため）。
【０００７】図１ａが、ＩＣカードで乗車券を購入するための、機器構成図である。タッチパネル式券売機（東京都内設置／機番０１）、タッチパネル式券売機（愛知県内設置／機番０２）および、データ保存機（日本国内設置）からなる。  タッチパネル式券売機は、通信手段によりデータ保存機へのデータの書き込みおよび読み込みができる。ただし、タッチパネル式券売機同志は、通信手段によってデータの書き込みおよび読み込みは、できない。  また、タッチパネル式券売機には発行日・時刻の計時手段および修正手段を持つが、データ保存機は、計時手段を持たない。
【０００８】ＩＣカードに、「タッチパネル式券売機の機番：０１」、「登録日・時刻の修正回数：００」、「登録日・時刻：平成１５年  ３月３１日１２時５８分１５秒」、および「登録者の生年月日：平成  ３年  ４月  １日」を書き込む。
【０００９】図１ｂは、データ保存機の各登録者のデータの保存状態を示した。各タッチパネル式券売機で登録したデータを、通信手段で順次書き込んでいく。  （１）タッチパネル式券売機の機番  （２）登録日・時刻の修正回数  （３）登録日・時刻  （４）登録者の生年月日
【００１０】生年月日、登録日・時刻が同じでも機番が違えば、違うＩＣカードとなる。
【発明を実施するための最良の形態】
【００１１】ＩＣカードを、タッチパネル式券売機のＩＣカード出入口へ、投入する（図１ａ）。乗車券購入者の生年月日を入力させることにより、データ保存機に登録したものと一致するか照合することによって、判定する。  一致しないと、「申し訳ございません。発券できませんでし。」と「発券不可」の案内が出る（図５ｃ）。【００１２】「年齢計算ニ関スル法律」の第１項「年齢ハ出生ノ日ヨリ之ヲ起算ス」および、「学校教育法」の第２２条「就学させる義務」第１項の「保護者は、子女の満六歳に達した日の翌日以後における最初の学年の初めから、満十二歳に達した日の属する学年の終わりまで、これを小学校（中略）を就学させる義務を負う（以下略）」（非特許文献３参照）から、年齢は誕生日の前日に１歳ずつ増える、同じ１２歳でも「小学生」と「中学生」の２通りがある、という条件があり、図３ａを作った。（非特許文献３：「小六法  平成１４年版」有斐閣  平成１３年１１月発行）
【実施例１】
【００１３】平成３年４月１日生まれの人が、平成１５年３月３１日に、乗車券を購入することを考えよう。保存データ機から登録者の生年月日を、読み出す。次に、生年の平成３年を図３ｂより、１９９１年とする。発行年の平成１５年を、西暦に読み換えすると２００３年となり、２００３年から１９９１年を減算すると、１２年になる。【００１４】誕生日の前日以後でかつ４月１日の前日なので、年齢区分は「こ2005056369.tif 000003
る。【００１５】平成３年４月１日生まれの人が、翌日の平成１５年４月１日に乗車券を購入する時は、図３ａから誕生日前日は３月３１日なので、「誕生日前日以後  」で「４月１日以後」なので「年齢区分」は「おとな」となり、2005056369.tif 000004
【００１６】図４ａが、タッチパネル式券売機のタッチパネル式画面である。画面の上部の「平成１５年  ３月３１日  １２時５６分」が、発行日および時刻であ  る。「▲黒四角▼ご希望の項目を、タッチして下さい。」の案内が出たら、「新規  登録」をタッチする（図４ａ）。すると、「新規  登録」の前の「○」が「●」に変わる。【００１７】「あなたの生年月日を、入力して下さい。」の案内が出たら、まずタッチパネルの「平成」を次に数字の「３」、「４」、「１」と、順次画面をタッチする。すると、「年号」の後の「○○」、「年」「月」「日」の前の「○○」が「●●」に変化する（図４ｂ）。【００１８】次に、「「登録」を、タッチして下さい。」の案内が出たら、「登録」をタッチする。これで、「登録」が完了した（図４ｃ）。【００１９】すぐに乗車券お購入したい場合は、「あなたの生年月日を、入力して下さい。」の案内が出る（図４ｄ）。  乗車券購入者の生年月日が、平成３年４月１日なので、「平成」、「３」、「４」、「１」の順にタッチする（図５ａ）。「年号」の後の、「年」、「月」、「日」の前の「○○」が「●●」に変化する。  次に、生年月日をすべて入力し終えたら、「「照合」を、タッチして下さい。」の案内が出るので、「照合」をタッチする（図５ａ）。【００２０】乗車券購入者とデータ保存機に保存してある登録者の生年月日が一致すれば、「ご希望の乗車券を、タッチして下さい。」の案内が出る。2005056369.tif 000005
と、前の「○」が「●」に変化する（図５ｂ）。【００２１】乗車券購入者の生年月日の入力が違うと、図５ｃのように「申し訳ございません。発券できませんでした。」の案内が出る。【００２２】次に、料金を入れて、ＩＣカード、乗車券を受け取る。
【実施例２】
【００２３】平成３年４月１日生まれの人が、平成１５年４月１日に、特急乗車券を購入することを述べる。発行日が平成１５年３月３１日には、年齢区分が「こども」だったものが、翌１５年４月１日には、「おとな」となり、料金は、１０５８０円となる（図５ｄ）。
【実施例３】
【００２４】ベビーカーに入れた赤ちゃんを連れて旅行する場合、を考えよう。非特許文献２によると、６歳未満（ただし、６歳でも小学生は、ＯＫ）の同伴者は２人まで無料なので、図５ｂまたは図５ｄのように無料の特急同乗券の案内の画面がでるので、購入することができる。
【発明の効果】
【００２５】いったん登録すると、一生使えることができる。万が一、紛失しても氏名、住所など登録されていないので、悪用されない。  また、赤ちゃん連れの母親も無料の特急同乗券も発券してくれるので、安心して改札口を通過できる。
【図面の簡単な説明】
【００２６】
【図１ａ】タッチパネル式券売機およびテータ保存機を示した図である
【図１ｂ】データ保存機に保存したデータを示した図である
【図２】時刻修正および生年月日の照合を示したフローチャートである
【図３ａ】年齢区分を示したフローチャートである
【図３ｂ】元号から西暦への読み換えファイルを示した図である
【図３ｃ】年齢区分および乗車券種ファイルを示した図である
2005056369.tif 000006
【図５ｂ】年齢区分「こども」の画面を示した図である
【図５ｃ】「発券不可」の画面を示した図である
【図５ｄ】年齢区分「おとな」の画面を示した図である
【図１ａ】
2005056369.tif 000007
【図１ｂ】
2005056369.tif 000008
【図２】
2005056369.tif 000009
【図３ａ】
2005056369.tif 000010
【図３ｂ】
2005056369.tif 000011
【図３ｃ】
2005056369.tif 000012
【図４ａ】
2005056369.tif 000013
【図４ｂ】
2005056369.tif 000014
【図４ｃ】
2005056369.tif 000015
【図４ｄ】
2005056369.tif 000016
【図５ａ】
2005056369.tif 000017
【図５ｂ】
2005056369.tif 000018
【図５ｃ】
2005056369.tif 000019
【図５ｄ】
2005056369.tif 000020